(57)【要約】【課題】番組情報一覧画面内に全ての番組のサムネイル画像を表示させ、且つ、その表示させるまでの処理時間が短いテレビジョン信号記録再生装置を提供する。【解決手段】記録再生部４と、制御部２１と、記録再生部４から読み出されるデジタルビデオ信号の内、各番組の最初の画面からサムネイル画像を生成するサムネイル生成部５１と、各番組のサムネイル画像からサムネイル一覧画面を合成して出力するサムネイル合成部５２とを備え、記録再生部４内にサムネイル一覧領域４２を有し、制御部２１は、記録再生部４に各番組のデジタルビデオ信号を書き込む毎にサムネイル生成部５１でサムネイル画像を生成し、各番組のサムネイル画像からサムネイル合成部５２でサムネイル一覧画面を合成し、サムネイル一覧領域４２に格納する。【選択図】　　　　図１
2004080587.tif 000002
【特許請求の範囲】
【請求項１】
デジタル形式のテレビジョン信号であるデジタルビデオ信号を各番組毎に書き込み、あるいは、書き込まれたデジタルビデオ信号を各番組毎に読み出す記録再生部と、
前記デジタルビデオ信号の書き込み、および、読み出し処理を実施する制御部と
前記記録再生部から読み出されるデジタルビデオ信号の内、各番組の任意時点の少なくとも１フレームの画面から画面寸法が縮小されたサムネイル画像を生成するサムネイル生成部と、
前記サムネイル生成部で生成された各番組のサムネイル画像からサムネイル一覧画面を合成して出力するサムネイル合成部と、
を備え、
前記記録再生部内には、前記サムネイル一覧画面を格納するサムネイル一覧領域を有し、
前記制御部は、
前記記録再生部に各番組のデジタルビデオ信号を書き込む毎に、前記サムネイル生成部でサムネイル画像を生成し、生成した各番組のサムネイル画像からサムネイル合成部でサムネイル一覧画面を合成し、該合成したサムネイル一覧画面を前記サムネイル一覧領域に格納する
ことを特徴とするテレビジョン信号記録再生装置。
【請求項２】
前記制御部は、
前記生成した各番組のサムネイル画像からサムネイル合成部でサムネイル一覧画面を合成する際に、
前記サムネイル合成部で、前回の番組までのサムネイル一覧画面と、生成したサムネイル画像とを再合成したサムネイル一覧画面を生成し、該再合成したサムネイル一覧画面を前記サムネイル一覧領域に格納する
ことを特徴とする請求項１に記載のテレビジョン信号記録再生装置。
【請求項３】
前記制御部は、
前記記録再生部に各番組のデジタルビデオ信号を書き込むと略同時、あるいは、書き込みの終了後に、前記サムネイル生成部におけるサムネイル画像の生成、および、サムネイル合成部におけるサムネイル画像と前回の番組までのサムネイル一覧画面との再合成を実施する
ことを特徴とする請求項１または２に記載のテレビジョン信号記録再生装置。
【請求項４】
前記制御部は、
前記サムネイル合成部で、生成したサムネイル画像と前回の番組までのサムネイル一覧画面とを再合成する際に、前回の番組までのサムネイル一覧画面に生成したサムネイル画像を合成するための配置の余裕が無い場合、あるいは、前回の番組までのサムネイル一覧画面が存在しない場合、
新規にサムネイル一覧画面を生成し、サムネイル生成部で生成されたサムネイル画像と合成する
ことを特徴とする請求項２または３に記載のテレビジョン信号記録再生装置。
【請求項５】
前記制御部は、
前記記録再生部の各番組の記録中から一部の番組の記録が削除される場合、
前記サムネイル合成部で、前記サムネイル一覧領域から読み出したサムネイル一覧画面から、削除される番組に対応するサムネイル画像を削除してサムネイル一覧画面を再合成し、再び前記サムネイル一覧領域に格納する
ことを特徴とする請求項１〜４の何れかに記載のテレビジョン信号記録再生装置。
【請求項６】
前記制御部は、
前記サムネイル合成部で、前記サムネイル一覧領域から読み出したサムネイル一覧画面から削除される番組に対応するサムネイル画像を削除する場合で、さらに、削除されるサムネイル画像の次のサムネイル画像が現在のサムネイル一覧画面中に存在する場合には、削除されるサムネイル画像の配置された位置に、次のサムネイル画像を繰り上げたサムネイル一覧画面を再合成する
ことを特徴とする請求項５に記載のテレビジョン信号記録再生装置。
【請求項７】
前記制御部は、
前記サムネイル合成部で、削除されるサムネイル画像の次のサムネイル画像が現在のサムネイル一覧画面の次のサムネイル一覧画面中に存在する場合には、削除されるサムネイル画像の配置された位置に、次以降のサムネイル一覧画面中からサムネイル画像を順次繰り上げて現在と次以降のサムネイル一覧画面を再合成する
ことを特徴とする請求項５に記載のテレビジョン信号記録再生装置。
【請求項８】
前記制御部は、
前記記録再生部の各番組の記録において、一部の番組の再生順序が変更される場合、
前記サムネイル合成部で、前記サムネイル一覧領域から読み出したサムネイル一覧画面から、再生順序が変更される番組に対応するサムネイル画像の配置を変更してサムネイル一覧画面を再合成し、再び前記サムネイル一覧領域に格納することを特徴とする請求項１〜４の何れかに記載のテレビジョン信号記録再生装置。
【請求項９】
前記制御部は、
前記記録再生部の各番組の記録において、一部の番組の記録が新規の記録に更新される場合、
前記サムネイル生成部で、前記記録が新規になる番組の任意時点の少なくとも１フレームの画面からサムネイル画像を生成し、
前記サムネイル合成部で、前記サムネイル一覧領域から読み出したサムネイル一覧画面から、記録が更新される番組に対応するサムネイル画像の配置に、前記サムネイル生成部で新規に生成したサムネイル画像を入れ替えてサムネイル一覧画面を再合成し、再び前記サムネイル一覧領域に格納する
ことを特徴とする請求項１〜４の何れかに記載のテレビジョン信号記録再生装置。
【請求項１０】
前記記録再生部から読み出されたデジタルビデオ信号に他の画像のデジタルビデオ信号を重畳して出力する映像重畳部を備え、
前記記録再生部内には、前記各番組に関する文字情報を格納する番組情報領域と、前記サムネイル一覧画面と前記文字情報を合成する際の基準配置情報を有するテンプレート画面を格納するテンプレート領域を有し、
前記制御部は、
前記記録再生部から前記サムネイル一覧画面を読み出す際には、前記映像重畳部で、テンプレート領域から読み出したテンプレート画面と、番組情報領域から読み出した文字情報と、前記サムネイル一覧画面とを重畳して出力する
ことを特徴とする請求項１〜９の何れかに記載のテレビジョン信号記録再生装置。
【請求項１１】
前記サムネイル生成部は、前記記録再生部から読み出されるデジタルビデオ信号の内、各番組の最初の１フレームの画面から画面寸法が縮小されたサムネイル画像を生成する
ことを特徴とする請求項１〜１０の何れかに記載のテレビジョン信号記録再生装置。
【請求項１２】
前記記録再生部から読み出される任意の一番組のデジタルビデオ信号を、画面の縦横寸法が前記サムネイル画像の寸法と同様になるように縮尺した信号として出力するビデオ・リサイザ部を備え、
前記制御部は、
前記サムネイル一覧画面から１個のサムネイル画像が選択された場合、
前記記録再生部から前記サムネイル画像に対応する番組のデジタルビデオ信号を読み出し、
前記ビデオ・リサイザ部で、読み出された番組のデジタルビデオ信号の画面寸法を縮尺した信号とし、
前記映像重畳部で、前記サムネイル一覧画面中の選択されたサムネイル画像に前記ビデオ・リサイザ部で縮尺されたデジタルビデオ信号の画面を重畳する
ことを特徴とする請求項１０に記載のテレビジョン信号記録再生装置。
【請求項１３】
前記ビデオ・リサイザ部は、前記サムネイル画像を、画面が連続するように生成させた前記サムネイル生成部である
ことを特徴とする請求項１２に記載のテレビジョン信号記録再生装置。
【請求項１４】
前記デジタルビデオ信号に所定の符号化を実施することで信号容量を圧縮する符号化部と、
前記デジタルビデオ信号を復号する復号部と
をさらに備え、
前記記録再生部は、符号化されたデジタルビデオ信号を書き込み、あるいは、読み出し、
前記サムネイル生成部は、前記復号部で復号されたデジタルビデオ信号からサムネイル画像を生成する
ことを特徴とする請求項１〜１３の何れかに記載のテレビジョン信号記録再生装置。
【請求項１５】
記録再生部から読み出されるデジタルビデオ信号の内、各番組の任意時点の少なくとも１フレームの画面からサムネイル画像を生成するサムネイル生成部と、前記サムネイル生成部で生成された各番組のサムネイル画像からサムネイル一覧画面を合成して出力するサムネイル合成部とを備え、前記記録再生部内には、前記サムネイル一覧画面を格納するサムネイル一覧領域を有するテレビジョン信号記録再生装置において、
デジタル形式のテレビジョン信号であるデジタルビデオ信号を各番組毎に記録再生部に書き込むと略同時、あるいは、書き込みの終了後に、
記録再生部に書き込まれたデジタルビデオ信号の内、各番組の任意時点の少なくとも１フレームの画面を読み出してサムネイル画像を生成し、
各番組のサムネイル画像からサムネイル一覧画面を合成し、
サムネイル一覧画面を記録再生部に書き込む
ことを特徴とするテレビジョン信号記録再生方法。
【請求項１６】
前記サムネイル一覧画面を合成する際には、
前回の番組までのサムネイル一覧画面と、生成したサムネイル画像とを再合成してサムネイル一覧画面を生成する
ことを特徴とする請求項１５に記載のテレビジョン信号記録再生方法。
【請求項１７】
前記サムネイル一覧画面を合成する際に、
前回の番組までのサムネイル一覧画面に生成したサムネイル画像を合成するための配置の余裕が無い場合、あるいは、前回の番組までのサムネイル一覧画面が存在しない場合には、
新規にサムネイル一覧画面を生成して、サムネイル生成部で生成されたサムネイル画像と合成する
ことを特徴とする請求項１６に記載のテレビジョン信号記録再生方法。
【請求項１８】
前記記録再生部の各番組の記録中から一部の番組の記録が削除される場合には、
前記サムネイル一覧領域から読み出したサムネイル一覧画面から、削除される番組に対応するサムネイル画像を削除し、
削除されるサムネイル画像の次のサムネイル画像が現在のサムネイル一覧画面中に存在する場合には、
削除されるサムネイル画像の配置された位置に、次のサムネイル画像を繰り上げてから、
サムネイル一覧画面を再合成し、
削除されるサムネイル画像の次のサムネイル画像が現在のサムネイル一覧画面の次のサムネイル一覧画面中に存在する場合には、
削除されるサムネイル画像の配置された位置に、次以降のサムネイル一覧画面中からサムネイル画像を順次繰り上げてから、
現在と次以降のサムネイル一覧画面を再合成し、
再合成したサムネイル一覧画面を再び格納する
ことを特徴とする請求項１５〜１７の何れかに記載のテレビジョン信号記録再生方法。
【請求項１９】
前記記録再生部の各番組の記録から一部の番組の再生順序が変更される場合には、
前記サムネイル一覧領域から読み出したサムネイル一覧画面から、再生順序が変更される番組に対応するサムネイル画像の配置を変更してサムネイル一覧画面を再合成し再び格納する
ことを特徴とする請求項１５〜１８の何れかに記載のテレビジョン信号記録再生方法。
【請求項２０】
前記記録再生部の各番組の記録から一部の番組の記録が新規の記録に更新される場合には、
前記記録が新規になる番組の任意時点の少なくとも１フレームの画面からサムネイル画像を生成し、
前記サムネイル一覧領域から読み出したサムネイル一覧画面から、記録が更新される番組に対応するサムネイル画像の配置に、前記新規に生成したサムネイル画像を入れ替えてサムネイル一覧画面を再合成し格納する
ことを特徴とする請求項１５〜１９の何れかに記載のテレビジョン信号記録再生方法。
【請求項２１】
前記記録再生部から読み出されたデジタルビデオ信号に他の画像のデジタルビデオ信号を重畳でき、前記記録再生部に、前記各番組に関する文字情報と、前記サムネイル一覧画面と前記文字情報を合成する際の基準配置情報を有するテンプレート画面を用いる場合には、
前記記録再生部から前記サムネイル一覧画面を読み出す際に、
前記テンプレート画面と、前記文字情報と、前記サムネイル一覧画面とを重畳する
ことを特徴とする請求項１５〜２０の何れかに記載のテレビジョン信号記録再生方法。
【請求項２２】
前記記録再生部から読み出される任意の一番組のデジタルビデオ信号を、画面の縦横寸法が前記サムネイル画像の寸法と同様になるように縮尺した信号として出力できる場合には、
前記サムネイル一覧画面から１個のサムネイル画像が選択された際に、
前記記録再生部から前記サムネイル画像に対応する番組のデジタルビデオ信号を読み出し、
該読み出された番組のデジタルビデオ信号を、画面寸法が前記縮尺した寸法となるようにした信号とし、
前記サムネイル一覧画面中の選択されたサムネイル画像に前記縮尺されたデジタルビデオ信号の画面を重畳する
ことを特徴とする請求項２１に記載のテレビジョン信号記録再生方法。
【発明の詳細な説明】
【０００１】
【発明の属する技術分野】
本発明は、デジタル形式のテレビジョン信号を各番組毎に記録し、あるいは、読み出すテレビジョン信号記録再生装置に関し、特に、各番組の一覧画面を生成するテレビジョン信号記録再生装置に関する。
【０００２】
【従来の技術】
図１９は、従来のテレビジョン信号記録再生装置の回路構成を示すブロック図である。
【０００３】
図１９に示した従来のテレビジョン信号記録再生装置１００において、１は、外部から入力したテレビジョン信号をデジタルビデオ信号に変換するテレビ信号処理部である。２は、テレビ信号処理部１で変換されたデジタルビデオ信号を、ＭＰＥＧ２等の規定に基づき信号容量を圧縮して符号化（変換）する符号化部である。３は、後述する記録再生部４へのデジタルビデオ信号の書き込み、および、記録再生部４からのデジタルビデオ信号の読み出しを制御するため、内部に不図示のバッファを有する記録／再生インタフェース部である。
【０００４】
図１９における４は、例えば、ハードディスクドライブ装置あるいはＤＶＤ−Ｒ／ＲＷ等の光ディスクドライブ装置であり、不揮発性で大容量であるが半導体メモリ等に比べると比較的読み書き速度が遅い記録再生部である。記録再生部４は、記録／再生インタフェース部３の制御により、入力したテレビジョン信号がデジタル形式に変換され符号化されたデジタルビデオ信号を、各番組毎に書き込み、あるいは、書き込まれたデジタルビデオ信号を各番組毎に読み出すことができる。
【０００５】
図１９における５は、記録再生部４から記録／再生インタフェース部３を経由して読み出された符号化デジタルビデオ信号を、デジタルビデオ信号に復号（変換）する復号部である。６は、記録再生部４から読み出されて復号部５で復調されたデジタルビデオ信号と、他の画像のデジタルビデオ信号とを重畳する映像重畳部である。テレビジョン信号記録再生装置１００では、映像重畳部６の内部で生成したデジタルビデオ信号と、復号部５で復調されたデジタルビデオ信号とを重畳していた。７は、映像重畳部６で重畳されたデジタルビデオ信号をテレビジョン信号（映像信号）に変換して出力するテレビ信号変換部である。
【０００６】
また、図１９における２０は、テレビジョン信号記録再生装置１００の機器全体を制御し、上記した各部を制御することで、記録再生部４へのデジタルビデオ信号の書き込み、読み出し、および、重畳処理を実施する制御部である。３０は、テレビジョン信号記録再生装置１００に対して、使用者による番組記録あるいは番組再生の操作が入力される操作入力部である。４０は、記録再生部４内で文字情報の番組情報を格納する領域である。番組情報領域４０は、テレビジョン信号記録再生装置１００の記録再生部４で記録する各番組についてのチャンネル情報、録画日情報、番組名情報、および、記録時間情報等の文字情報を格納する。
【０００７】
なお、本明細書中の番組という用語は、一般的な放送における番組の意味を拡大解釈して用いており、テレビジョン信号記録再生装置１００に入力するテレビ信号のうち、任意の日時から１つのチャンネルで連続して入力されるテレビ信号を意味している。
【０００８】
次に、図１９に示した従来のテレビジョン信号記録再生装置１００で入力したテレビジョン信号を新規に記録する際の動作について説明する。
【０００９】
図２０は、従来のテレビジョン信号記録再生装置１００で入力したテレビジョン信号を新規に記録する際の動作を示すフローチャートである。
【００１０】
従来のテレビジョン信号記録再生装置１００は、無線／有線放送の受信等によるテレビジョン信号の入力を判断しており（Ｓ１）、テレビジョン信号が入力されない場合（Ｓ１：ＮＯ）には再度ステップＳ１の処理を繰り返すようにして入力を待ち受けている。国内では一般的にはＮＴＳＣ信号であるテレビジョン信号が入力された場合（Ｓ１：ＹＥＳ）には、テレビ信号処理部１でＡ／Ｄ変換され、デジタルビデオ信号であるＩＴＵ−Ｒ　ＢＴ．６５６に定められた信号へ変換され、ＴＢＣにより垂直水平同期信号の周波数安定化が図られ、さらに、符号化部２で、ＭＰＥＧ２規格に基づきデジタルビデオ信号が画像圧縮されたＭＰＥＧ２プログラムストリームに符号化（変換）される（Ｓ２）。
【００１１】
一方、制御部２０は、操作入力部３０から希望番組の選択入力が有ったか否かを判断し（Ｓ３）、入力が有った場合（Ｓ３：ＹＥＳ）には、次に、テレビ信号処理部１等で希望番組の受信が開始されたか否かを判断する（Ｓ４）。希望番組の選択入力が無い場合（Ｓ３：ＮＯ）には、再度ステップＳ３の処理を繰り返して選択入力を待ち受け、受信が開始されない場合（Ｓ４：ＮＯ）にも再度ステップＳ４の処理を繰り返して受信の開始を待ち受ける。
【００１２】
希望番組の受信が開始された場合（Ｓ４：ＹＥＳ）には、符号化部２で符号化（変換）されたＭＰＥＧ２プログラムストリームは、一旦、記録／再生インタフェース部３内のバッファに格納され、次いで、記録再生部４において、ＭＰＥＧ２プログラムストリームが記録される領域とは別の領域である番組情報領域４０に、録画した番組の録画チャンネル情報、録画日情報、録画開始時間情報、番組名情報等が番組情報（文字情報）として記録される（Ｓ５）と共に、記録／再生インタフェース部３内のバッファから読み出されたＭＰＥＧ２プログラムストリームが記録される（Ｓ６）。
【００１３】
その後、制御部２０は、テレビ信号処理部１等で希望番組の入力が終了したか否かを判断し（Ｓ７）、入力が終了した場合（Ｓ７：ＹＥＳ）には、録画終了時間、録画時間、番組名等の全ての録画情報を終了時の番組情報として記録再生部４の番組情報領域４０に記録する（Ｓ８）。希望番組の入力が終了しない場合（Ｓ７：ＮＯ）には、再度ステップＳ６の処理を繰り返してＭＰＥＧ２プログラムストリームの記録を継続する。
【００１４】
次に、図１９に示した従来のテレビジョン信号記録再生装置１００で一旦記録したテレビジョン信号を再生する際の動作について説明する。
【００１５】
図２１は、従来のテレビジョン信号記録再生装置１００で記録したテレビジョン信号を再生する際の動作を示すフローチャートである。
【００１６】
再生する場合、制御部２０は、操作入力部３０に、記録再生部４内に多数記録された番組の中から任意の番組を選択するために番組情報一覧を表示させる入力が有ったか否かを判断し（Ｓ１１）、番組情報一覧表示入力が有った場合（Ｓ１１：ＹＥＳ）には、記録再生部４の番組情報領域４０から１画面分（表示装置に表示可能な数）の番組情報を読み出し、その番組情報から、番組情報一覧画面用のデータとして番組リストデータを生成して映像重畳部６に出力し、映像重畳部で１画面分の番組情報一覧表示のテンプレート画面を生成してから、読み出した番組情報を重畳して番組情報一覧画面を生成する（Ｓ１２）。番組情報一覧表示入力が無い場合（Ｓ１１：ＮＯ）には、再度ステップＳ１１の処理を繰り返して一覧表示の入力を待ち受ける。
【００１７】
図２２は番組を再生する際の選択に用いる番組情報一覧画面の一例を示す図である。
【００１８】
図２２の番組情報一覧画面６０中で、６１は、番組情報一覧画面６０における背景部であり、６２は、記録再生部４に番組のデータストリームが記録される際に記録される番組情報（文字情報）を一覧形式で表示させた番組一覧表示部である。
【００１９】
番組一覧表示部６２中で、７１は、チャンネル項の列を示し、７２は、録画日項の列を示し、７３は、番組名の項の列を示し、７４は、記録時間の項の列を示し、８１は、使用者が番組一覧表示部６２に表示された各番組の中から任意の番組を選択したハイライト表示行を示す。
【００２０】
図２２の番組情報一覧画面６０では、ハイライト表示行８１により選択された番組が現在選択されている番組であり、使用者がこのハイライト表示された番組の再生を希望する場合には、操作入力部３０から決定入力がなされ、そうでない場合には、例えば、操作入力部３０の前後左右の方向に遷移させるキー入力等により、ハイライト行の移動操作あるいは現在表示中の画面の前後の画面を選択する入力がなされる。
【００２１】
制御部２０は、ステップＳ１２の番組情報一覧画面が全ての番組情報について生成されたか否かを判断し（Ｓ１３）、全ての番組情報についての番組情報一覧画面が生成された場合（Ｓ１３：ＹＥＳ）には、テレビ信号変換部７で番組情報一覧画面をテレビジョン信号（例えば、ＮＴＳＣ信号）に変換して陰極線管あるいは液晶等の表示装置に出力する（Ｓ１４）。全ての番組情報についての番組情報一覧画面が生成されていない場合（Ｓ１３：ＮＯ）には、再度ステップＳ１２の番組情報一覧画面の生成を繰り返して、全ての番組情報についての番組情報一覧画面を生成する。
【００２２】
次に、制御部２０は、操作入力部３０で再生する番組が決定したことを指示する入力が有ったか否かを判断する（Ｓ１５）。再生番組の決定入力が無い場合（Ｓ１５：ＮＯ）には、さらに、現在表示装置に表示されている番組情報一覧画面中で１番組に対して静止画表示させる選択指示が有るか否かを判断する（Ｓ１６）。
【００２３】
静止画表示の選択指示が有る場合（Ｓ１６：ＹＥＳ）には、選択された番組の最初の画像データを記録再生部４から読み出して、その静止画像を表示出力する（Ｓ１７）。静止画表示の選択指示が無い場合（Ｓ１６：ＮＯ）には、制御部２０は、操作入力部３０に現在表示装置に表示されている番組情報一覧画面で全一覧画面の表示が終了したか否かを、例えば、次の番組情報一覧画面を表示させる指示の入力が無いか否かで判断し（Ｓ１８）、その指示入力が無いことから全一覧画面の表示が終了したと判断される場合（Ｓ１８：ＹＥＳ）には、再生処理を終了する。番組情報一覧画面を表示させる指示の入力が有る等で、全一覧画面の表示が終了していないと判断される場合（Ｓ１８：ＮＯ）には、制御部２０は、再度ステップＳ１４に戻って指示された番組情報一覧画面を表示出力する。
【００２４】
再生番組の決定入力が有った場合（Ｓ１５：ＹＥＳ）には、例えば、操作入力部３０の再生キー等の入力により、番組情報一覧画面は閉じられて選択された番組の再生動作が開始される。
【００２５】
制御部２０による再生動作は、まず、決定した番組のデータ（ＭＰＥＧ２プログラムストリーム）を記録再生部４から読み出し、記録／再生インタフェース部３においてＭＰＥＧ２復号部５で復調するために必要なビットレート制御を行なう。次に、復号部５で入力されたＭＰＥＧ２プログラムストリームをデジタルビデオ信号であるＩＴＵ−Ｒ　ＢＴ．６５６の信号と音声信号に変換し、映像重畳部６で、内部生成されたデジタルビデオ信号とＭＰＥＧ２プログラムストリームから変換したデジタルビデオ信号であるＩＴＵ−Ｒ　ＢＴ．６５６を、画素毎に透過や優先度の設定を行うことで重畳し、デジタルビデオ信号を生成する。さらに、テレビ信号変換部７で、テレビジョン信号（例えば、ＮＴＳＣ信号）に変換した再生信号として出力し、表示装置に表示させる（Ｓ１９）。
【００２６】
従来のテレビジョン信号記録再生装置１００では、以上のように、使用者が番組情報一覧画面の番組リスト中から、録画チャンネル、録画日、録画開始時刻、録画終了時刻、録画時間、番組名等の文字情報である番組情報に基づいて番組の内容を推測して判断することで番組を選択し、一旦記録再生部４に記録された多数の番組中から、希望する番組を選択して再生することができた。
【００２７】
また、文字情報のみでは判断できない場合には、使用者は番組リストに表示された一つの番組の最初の画面の静止画を表示させて判断することができた。その場合には、番組情報一覧画面の番組リスト中のハイライト表示を移動させ、記録再生部４に記録された多数の番組のＭＰＥＧ２プログラムストリームの中からハイライト表示された番組に対応するＭＰＥＧ２プログラムストリームを検索して、その最初の画面を読み出して復調していた。
【００２８】
【発明が解決しようとする課題】
しかしながら、テレビジョン信号記録再生装置１００では、使用者は、上記したように文字情報のみの番組情報から番組の内容を推測により判断する必要があったため、使用者により選択された番組が、必ずしも使用者の意図とする番組と一致しないという問題があった。
【００２９】
また、静止画を表示させて判断する場合には、番組情報一覧画面の番組リスト中から選択してから、対応するＭＰＥＧ２プログラムストリームを検索して、その最初の画面を読み出して復調しなければならないため、静止画が表示されるまでの処理時間が長いという問題があった。
【００３０】
さらに、複数の番組の静止画を表示させて判断する場合には、１番組の静止画表示に必要な処理を複数の番組分繰り返す必要があることに加え、静止画から番組情報一覧画面に戻る処理も複数の番組分繰り返す必要があるので、使用者が再生する番組を選択するために必要な時間が非常に長くなるという問題があった。
【００３１】
上記した問題に対処するために、例えば、再生時の希望する番組を選択する場合に、静止画のデジタルカメラ等で採用されているように、各番組の最初の画像寸法を縮小して表示したサムネイル画像を番組情報一覧画面に表示させることも考えられる。一般的に静止画デジタルカメラでは、記録媒体が半導体メモリであることが多く、ＪＰＥＧ規格等で記録された１枚の画像あたりのデータファイル長も短く、また、データのヘッダ長も短いことから、各画像をリサイズ（縮小）処理したサムネイル画像を一覧表示する時間が短くて済んでいる。
【００３２】
しかし、従来のテレビジョン信号記録再生装置１００で、静止画デジタルカメラと同様に、再生時の番組選択用にサムネイル画像を番組情報一覧画面に表示させようとすると、例えば、半導体メモリに対するハードディスクドライブ装置の読み出し時間の増加、データファイル長の違いによる検索時間の増加、データのヘッダ長の違いによる検索時間の増加、記憶媒体の記憶容量の増加による検索時間の増加等により、番組情報一覧画面内に全てのサムネイル画像を表示するまでの処理時間が非常に長くなるという問題がある。
【００３３】
本発明は上記した問題を解決するためになされたものであって、番組情報一覧画面内に全ての番組のサムネイル画像を表示させ、且つ、その表示させるまでの処理時間が短いテレビジョン信号記録再生装置を提供することを目的とする。
【００３４】
【課題を解決するための手段】
上記した目的を達成するため、請求項１に記載した本発明のテレビジョン信号記録再生装置は、デジタル形式のテレビジョン信号であるデジタルビデオ信号を各番組毎に書き込み、あるいは、書き込まれたデジタルビデオ信号を各番組毎に読み出す記録再生部と、デジタルビデオ信号の書き込み、および、読み出し処理を実施する制御部と、記録再生部から読み出されるデジタルビデオ信号の内、各番組の任意時点の少なくとも１フレームの画面から画面寸法が縮小されたサムネイル画像を生成するサムネイル生成部と、サムネイル生成部で生成された各番組のサムネイル画像からサムネイル一覧画面を合成して出力するサムネイル合成部とを備え、記録再生部内には、サムネイル一覧画面を格納するサムネイル一覧領域を有し、制御部は、記録再生部に各番組のデジタルビデオ信号を書き込む毎に、サムネイル生成部でサムネイル画像を生成し、生成した各番組のサムネイル画像からサムネイル合成部でサムネイル一覧画面を合成し、該合成したサムネイル一覧画面をサムネイル一覧領域に格納することを特徴とする。
【００３５】
また、請求項２の本発明は、請求項１に記載のテレビジョン信号記録再生装置において、制御部は、生成した各番組のサムネイル画像からサムネイル合成部でサムネイル一覧画面を合成する際に、サムネイル合成部で、前回の番組までのサムネイル一覧画面と、生成したサムネイル画像とを再合成したサムネイル一覧画面を生成し、該再合成したサムネイル一覧画面をサムネイル一覧領域に格納することを特徴とする。
【００３６】
また、請求項３の本発明は、請求項１または２に記載のテレビジョン信号記録再生装置において、制御部は、記録再生部に各番組のデジタルビデオ信号を書き込むと略同時、あるいは、書き込みの終了後に、サムネイル生成部におけるサムネイル画像の生成、および、サムネイル合成部におけるサムネイル画像と前回の番組までのサムネイル一覧画面との再合成を実施することを特徴とする。
【００３７】
また、請求項４の本発明は、請求項２または３に記載のテレビジョン信号記録再生装置において、制御部は、サムネイル合成部で、生成したサムネイル画像と前回の番組までのサムネイル一覧画面とを再合成する際に、前回の番組までのサムネイル一覧画面に生成したサムネイル画像を合成するための配置の余裕が無い場合、あるいは、前回の番組までのサムネイル一覧画面が存在しない場合、新規にサムネイル一覧画面を生成し、サムネイル生成部で生成されたサムネイル画像と合成することを特徴とする。
【００３８】
また、請求項５の本発明は、請求項１〜４の何れかに記載のテレビジョン信号記録再生装置において、制御部は、記録再生部の各番組の記録中から一部の番組の記録が削除される場合、サムネイル合成部で、サムネイル一覧領域から読み出したサムネイル一覧画面から、削除される番組に対応するサムネイル画像を削除してサムネイル一覧画面を再合成し、再びサムネイル一覧領域に格納することを特徴とする。
【００３９】
また、請求項６の本発明は、請求項５に記載のテレビジョン信号記録再生装置において、制御部は、サムネイル合成部で、サムネイル一覧領域から読み出したサムネイル一覧画面から削除される番組に対応するサムネイル画像を削除する場合で、さらに、削除されるサムネイル画像の次のサムネイル画像が現在のサムネイル一覧画面中に存在する場合には、削除されるサムネイル画像の配置された位置に、次のサムネイル画像を繰り上げたサムネイル一覧画面を再合成することを特徴とする。
【００４０】
また、請求項７の本発明は、請求項５に記載のテレビジョン信号記録再生装置において、制御部は、サムネイル合成部で、削除されるサムネイル画像の次のサムネイル画像が現在のサムネイル一覧画面の次のサムネイル一覧画面中に存在する場合には、削除されるサムネイル画像の配置された位置に、次以降のサムネイル一覧画面中からサムネイル画像を順次繰り上げて現在と次以降のサムネイル一覧画面を再合成することを特徴とする。
【００４１】
また、請求項８の本発明は、請求項１〜４の何れかに記載のテレビジョン信号記録再生装置において、制御部は、記録再生部の各番組の記録において、一部の番組の再生順序が変更される場合、サムネイル合成部で、サムネイル一覧領域から読み出したサムネイル一覧画面から、再生順序が変更される番組に対応するサムネイル画像の配置を変更してサムネイル一覧画面を再合成し、再びサムネイル一覧領域に格納することを特徴とする。
【００４２】
また、請求項９の本発明は、請求項１〜４の何れかに記載のテレビジョン信号記録再生装置において、制御部は、記録再生部の各番組の記録において、一部の番組の記録が新規の記録に更新される場合、サムネイル生成部で、記録が新規になる番組の任意時点の少なくとも１フレームの画面からサムネイル画像を生成し、サムネイル合成部で、サムネイル一覧領域から読み出したサムネイル一覧画面から、記録が更新される番組に対応するサムネイル画像の配置に、サムネイル生成部で新規に生成したサムネイル画像を入れ替えてサムネイル一覧画面を再合成し、再びサムネイル一覧領域に格納することを特徴とする。
【００４３】
また、請求項１０の本発明は、請求項１〜９の何れかに記載のテレビジョン信号記録再生装置において、記録再生部から読み出されたデジタルビデオ信号に他の画像のデジタルビデオ信号を重畳して出力する映像重畳部を備え、記録再生部内には、各番組に関する文字情報を格納する番組情報領域と、サムネイル一覧画面と文字情報を合成する際の基準配置情報を有するテンプレート画面を格納するテンプレート領域を有し、制御部は、記録再生部からサムネイル一覧画面を読み出す際には、映像重畳部で、テンプレート領域から読み出したテンプレート画面と、番組情報領域から読み出した文字情報と、サムネイル一覧画面とを重畳して出力することを特徴とする。
【００４４】
また、請求項１１の本発明は、請求項１〜１０の何れかに記載のテレビジョン信号記録再生装置において、サムネイル生成部は、記録再生部から読み出されるデジタルビデオ信号の内、各番組の最初の１フレームの画面から画面寸法が縮小されたサムネイル画像を生成することを特徴とする。
【００４５】
また、請求項１２の本発明は、請求項１０に記載のテレビジョン信号記録再生装置において、記録再生部から読み出される任意の一番組のデジタルビデオ信号を、画面の縦横寸法がサムネイル画像の寸法と同様になるように縮尺した信号として出力するビデオ・リサイザ部を備え、制御部は、サムネイル一覧画面から１個のサムネイル画像が選択された場合、記録再生部からサムネイル画像に対応する番組のデジタルビデオ信号を読み出し、ビデオ・リサイザ部で、読み出された番組のデジタルビデオ信号の画面寸法を縮尺した信号とし、映像重畳部で、サムネイル一覧画面中の選択されたサムネイル画像にビデオ・リサイザ部で縮尺されたデジタルビデオ信号の画面を重畳することを特徴とする。
【００４６】
また、請求項１３の本発明は、請求項１２に記載のテレビジョン信号記録再生装置において、ビデオ・リサイザ部は、サムネイル画像を、画面が連続するように生成させたサムネイル生成部であることを特徴とする。
【００４７】
また、請求項１４の本発明は、請求項１〜１３の何れかに記載のテレビジョン信号記録再生装置において、デジタルビデオ信号に所定の符号化を実施することで信号容量を圧縮する符号化部と、デジタルビデオ信号を復号する復号部とをさらに備え、記録再生部は、符号化されたデジタルビデオ信号を書き込み、あるいは、読み出し、サムネイル生成部は、復号部で復号されたデジタルビデオ信号からサムネイル画像を生成することを特徴とする。
【００４８】
また、請求項１５に記載した本発明のテレビジョン信号記録再生方法は、記録再生部から読み出されるデジタルビデオ信号の内、各番組の任意時点の少なくとも１フレームの画面からサムネイル画像を生成するサムネイル生成部と、サムネイル生成部で生成された各番組のサムネイル画像からサムネイル一覧画面を合成して出力するサムネイル合成部とを備え、記録再生部内には、サムネイル一覧画面を格納するサムネイル一覧領域を有するテレビジョン信号記録再生装置において、デジタル形式のテレビジョン信号であるデジタルビデオ信号を各番組毎に記録再生部に書き込むと略同時、あるいは、書き込みの終了後に、記録再生部に書き込まれたデジタルビデオ信号の内、各番組の任意時点の少なくとも１フレームの画面を読み出してサムネイル画像を生成し、各番組のサムネイル画像からサムネイル一覧画面を合成し、サムネイル一覧画面を記録再生部に書き込むことを特徴とするテレビジョン信号記録再生方法。
【００４９】
また、請求項１６の本発明は、請求項１５に記載のテレビジョン信号記録再生方法において、サムネイル一覧画面を合成する際には、前回の番組までのサムネイル一覧画面と、生成したサムネイル画像とを再合成してサムネイル一覧画面を生成することを特徴とする。
【００５０】
また、請求項１７本発明は、請求項１６に記載のテレビジョン信号記録再生方法において、サムネイル一覧画面を合成する際に、前回の番組までのサムネイル一覧画面に生成したサムネイル画像を合成するための配置の余裕が無い場合、あるいは、前回の番組までのサムネイル一覧画面が存在しない場合には、新規にサムネイル一覧画面を生成して、サムネイル生成部で生成されたサムネイル画像と合成することを特徴とする。
【００５１】
また、請求項１８の本発明は、請求項１５〜１７の何れかに記載のテレビジョン信号記録再生方法において、記録再生部の各番組の記録中から一部の番組の記録が削除される場合には、サムネイル一覧領域から読み出したサムネイル一覧画面から、削除される番組に対応するサムネイル画像を削除し、削除されるサムネイル画像の次のサムネイル画像が現在のサムネイル一覧画面中に存在する場合には、削除されるサムネイル画像の配置された位置に、次のサムネイル画像を繰り上げてから、サムネイル一覧画面を再合成し、削除されるサムネイル画像の次のサムネイル画像が現在のサムネイル一覧画面の次のサムネイル一覧画面中に存在する場合には、削除されるサムネイル画像の配置された位置に、次以降のサムネイル一覧画面中からサムネイル画像を順次繰り上げてから、現在と次以降のサムネイル一覧画面を再合成し、再合成したサムネイル一覧画面を再び格納することを特徴とする。
【００５２】
また、請求項１９の本発明は、請求項１５〜１８の何れかに記載のテレビジョン信号記録再生方法において、記録再生部の各番組の記録から一部の番組の再生順序が変更される場合には、サムネイル一覧領域から読み出したサムネイル一覧画面から、再生順序が変更される番組に対応するサムネイル画像の配置を変更してサムネイル一覧画面を再合成し再び格納することを特徴とする。
【００５３】
また、請求項２０の本発明は、請求項１５〜１９の何れかに記載のテレビジョン信号記録再生方法において、記録再生部の各番組の記録から一部の番組の記録が新規の記録に更新される場合には、記録が新規になる番組の任意時点の少なくとも１フレームの画面からサムネイル画像を生成し、サムネイル一覧領域から読み出したサムネイル一覧画面から、記録が更新される番組に対応するサムネイル画像の配置に、新規に生成したサムネイル画像を入れ替えてサムネイル一覧画面を再合成し格納することを特徴とする。
【００５４】
また、請求項２１の本発明は、請求項１５〜２０の何れかに記載のテレビジョン信号記録再生方法において、記録再生部から読み出されたデジタルビデオ信号に他の画像のデジタルビデオ信号を重畳でき、記録再生部に、各番組に関する文字情報と、サムネイル一覧画面と文字情報を合成する際の基準配置情報を有するテンプレート画面を用いる場合には、記録再生部からサムネイル一覧画面を読み出す際に、テンプレート画面と、文字情報と、サムネイル一覧画面とを重畳することを特徴とする。
【００５５】
また、請求項２２の本発明は、請求項２１に記載のテレビジョン信号記録再生方法において、記録再生部から読み出される任意の一番組のデジタルビデオ信号を、画面の縦横寸法がサムネイル画像の寸法と同様になるように縮尺した信号として出力できる場合には、サムネイル一覧画面から１個のサムネイル画像が選択された際に、記録再生部からサムネイル画像に対応する番組のデジタルビデオ信号を読み出し、その読み出された番組のデジタルビデオ信号を、画面寸法が縮尺した寸法となるようにした信号とし、サムネイル一覧画面中の選択されたサムネイル画像に縮尺されたデジタルビデオ信号の画面を重畳することを特徴とする。
【００５６】
【発明の実施の形態】
実施の形態１．
図１は、本発明の実施の形態１のテレビジョン信号記録再生装置の回路構成を示すブロック図である。なお、図１テレビジョン信号記録再生装置１０１において、従来のテレビジョン信号記録再生装置１００と同様な機能を有する部分には同じ符号を付与し、重複する説明を省略する。
【００５７】
まず、図１に示した実施の形態１のテレビジョン信号記録再生装置１０１が図１９に示した従来のテレビジョン信号記録再生装置１００と異なる点は以下の各点である。
【００５８】
（１）　記録再生部４から読み出されるデジタルビデオ信号の内、各番組の任意時点の少なくとも１フレームの画面から画面寸法が縮小されたサムネイル画像を生成するサムネイル生成部５１を備える点。
【００５９】
（２）　サムネイル画像を生成する各番組の任意時点としては、各番組の最初の１フレームの画面とする点。
【００６０】
一般的に、サムネイル画像は、各番組の最初の１フレームの画面から生成することが順当と考えられるが、逆に連続番組等では毎回同じタイトルであるので、何回目の放送内容かの区別が付かなくなる可能性もあり、例えば、連続番組を区別するために不図示のタイマー等を利用して番組の開始から５分後の画面等をサムネイル画像として指定する場合も考えられる。そのため、本実施の形態では、各番組の任意時点の少なくとも１フレームの画面からサムネイル画像を生成することとした。従って、番組の最初の１フレームの画面は、番組中の任意時点の１フレームの画面の中で、タイマー等を用いなくても良いことから比較的生成が容易、あるいは、選択される可能性の高い時点の１フレームということになる。また、少なくとも１フレームとしたことは、後述するように、サムネイル画像の位置にビデオ・リサイザで縮小した動画を重畳する場合が考えられるためである。
【００６１】
（３）　サムネイル生成部５１で生成された各番組のサムネイル画像からサムネイル一覧画面を合成して出力するサムネイル合成部５２を備える点。
【００６２】
（４）　記録再生部４内には、サムネイル一覧画面を格納するサムネイル一覧領域４２を有する点。
【００６３】
（５）　サムネイル合成部５２は、生成した各番組のサムネイル画像からサムネイル一覧画面を合成する際に、前回の番組までで予め生成されてサムネイル一覧領域４２に格納さえていたサムネイル一覧画面と、今回生成されたサムネイル画像とを再合成することにより新たなサムネイル一覧画面を生成する点。
【００６４】
（６）　制御部２１は、サムネイル合成部５２で新たなサムネイル一覧画面が生成された場合、その新たなサムネイル一覧画面をサムネイル一覧領域４２に格納する点。
【００６５】
（７）　制御部２１は、記録再生部４に各番組のデジタルビデオ信号を書き込む毎に、（１）〜（６）に上記したように、記録再生部に書き込まれたデジタルビデオ信号の内、各番組の任意時点の少なくとも１フレームの画面を読み出し、サムネイル生成部５１でサムネイル画像を生成し、生成した各番組のサムネイル画像からサムネイル合成部５２でサムネイル一覧画面を合成し、その合成したサムネイル一覧画面をサムネイル一覧領域４２に書き込んで格納する点。
【００６６】
（８）　サムネイル生成部５１によるサムネイル画像の生成、および、サムネイル合成部におけるサムネイル画像と前回の番組までのサムネイル一覧画面との再合成は、デジタル形式のテレビジョン信号であるデジタルビデオ信号を各番組毎に記録再生部に書き込むと略同時、あるいは、書き込みの終了後である点。ここで略同時とは、サムネイル画像を作成するためには、少なくとも各番組の最初の画面のデジタルビデオ信号が記録再生部４に一旦書き込まれた後でなければ、読み出してサムネイル画像を生成できないため、若干の時間差を有する意味で略同時としている。
【００６７】
（９）　記録再生部４から読み出されたデジタルビデオ信号に他の画像のデジタルビデオ信号を重畳して出力する映像重畳部６を備える点。
【００６８】
（１０）　記録再生部４内に、従来と同様な各番組に関する文字情報を格納する番組情報領域４１に加えて、サムネイル一覧画面と文字情報を合成する際の基準配置情報を有するテンプレート画面を格納するテンプレート領域４３を有する点。
【００６９】
（１１）　制御部２１は、記録再生部４からサムネイル一覧画面を読み出す際に、映像重畳部６で、テンプレート領域４３から読み出したテンプレート画面と、番組情報領域４１から読み出した文字情報と、サムネイル一覧領域４２に格納さえていたサムネイル一覧画面とを重畳して出力する点。
【００７０】
（１２）　図１の回路では、従来と同様にデジタルビデオ信号に所定の符号化を実施することで信号容量を圧縮する符号化部２と、デジタルビデオ信号を復号する復号部５とを備えていることから、記録再生部４では、符号化されたデジタルビデオ信号を書き込み、あるいは、読み出しているが、上記したサムネイル一覧画面およびテンプレート画面については復号されたデジタルビデオ信号が書き込み、あるいは、読み出される点。
【００７１】
（１３）　上記した（１２）に関連して、サムネイル生成部５１は、復号部５で復号されたデジタルビデオ信号からサムネイル画像を生成する点。
【００７２】
図２は、図１の操作入力部３１の一例としてのテレビジョン信号記録再生装置のリモコンのキー配置を示す図である。
【００７３】
図２のリモコン６０１において、上から順に、７０１は電源キー、７０２は早送りキー、７０３は再生キー、７０４は巻戻しキー、７０５は一時停止キー、７０６は停止キー、７０７は録画キーである。また、図２の中程にある７３１はハイライト選択時等に用いる決定キー、７３２はハイライト選択の上方向遷移キー、７３３はハイライト選択の右方向遷移キー、７３４はハイライト選択の下方向遷移キー、７３５はハイライト選択の左方向遷移キーである。最後に、図２の下側にある７５１は番組情報一覧画面表示にハイライト選択された番組を削除するための番組削除キー、７５２は記録再生機４に記録された番組のサムネイル一覧／番組情報画面を表示させる番組一覧画面表示キーである。
【００７４】
本実施の形態では、例えば、使用者がリモコン６０１の番組一覧画面表示キー７５２を押した場合に、不図示の表示装置等に後述するサムネイル一覧／番組情報画面が表示される。
【００７５】
次に、本実施の形態の動作について説明する。
図３は、図１のテレビジョン信号記録再生装置１０１の新規記録時の動作を示すフローチャートであり、ステップＳ８までは、図２０に示した従来のテレビジョン信号記録再生装置１００の新規記録時の動作と同様である。なお、操作入力部として図２のリモコンを用いる場合には、例えば、希望番組を選択する動作には、上下左右方向遷移キー７３２〜７３５と決定キー７３１を使用し、選択した希望番組を記録再生（ＨＤＤ）部４に書き込む際には、録画キー７０７を使用する。また、制御部２０から記録再生部４への画像データ等の書き込み指示および読み出し指示は、実際には、一旦記録／再生インタフェース部３に指示が出力され、その記録／再生インタフェース部３の制御により記録再生部４への書き込みおよび読み出しが実施される。
【００７６】
なお、図３の場合は、記録再生部４（ＨＤＤ）に各番組の終了時番組情報（文字情報）を書き込んだ（Ｓ８）後に、サムネイル画像等を生成するようにしているが、例えば、記録再生部４のアクセス速度及びデータ記録作成速度が十分に早い場合には、番組を記録中に新しいサムネイル一覧画面を作成することも可能であるので、ステップＳ６の記録再生部４に各番組のデジタルビデオ信号を書き込む（Ｓ６）と同時（上記した略同時）にサムネイル画像等を生成するように動作させても良い。
【００７７】
ステップＳ８で、記録再生部４に各番組の終了時番組情報（文字情報）が書き込まれると、制御部２１は、記録再生部４の記録内容から最初の１フレーム分の画面データ（符号化されたデジタルビデオ信号）を読み出し、復号部５でその画面データを復号し、サムネイル生成部５１でその復号した画像データの画面寸法を縮小してサムネイル画像を生成する（Ｓ２１）。ここで、制御部２１は、サムネイル一覧画面の生成が新規作成であるか否かを判断する（Ｓ２２）。サムネイル一覧画面の生成が新規である場合（Ｓ２２：ＹＥＳ）には、サムネイル一覧画面を新規作成し（Ｓ２７）、サムネイル一覧画面の生成が新規ではない場合（Ｓ２２：ＮＯ）には、記録再生部４内のサムネイル一覧領域４２から前回までのサムネイル画像を含む最新のサムネイル一覧画面を読み出す（Ｓ２３）。
【００７８】
ここで、サムネイル一覧画面について説明する。図５は、サムネイル一覧画面の一例を示す図である。
【００７９】
図５のサムネイル一覧画面２０１の上段では、左から右に向かって順に、Ａ０のサムネイル画像４０１、Ｂ０のサムネイル画像４０２、Ｃ０のサムネイル画像４０３が並び、下段では、左から右に向かって順に、Ｄ０のサムネイル画像４０４、Ｅ０のサムネイル画像４０５、Ｆ０のサムネイル画像４０６が並んでいる。
サムネイル一覧画面２０１中の各サムネイル画像の順番としては、生成が早い順（時系列）でＡ０〜Ｆ０のサムネイル画像４０１〜４０６が並ぶこととする。
【００８０】
なお、サムネイル生成部５１に入力される画面は、一般的に７２０×４８０画素で構成されている。例えば、図５に示したようにサムネイル一覧画面２０１に６番組のサムネイル画像Ａ０〜Ｆ０を表示する場合には、サムネイル生成部５１で１８０×１２０画素の画面に縮小する。すると、図５に示したように一画面に横列３番組、縦列２番組の合計６番組のサムネイル一覧画面を構成することができる。
【００８１】
ステップＳ２３では、例えば、Ａ０〜Ｅ０までのサムネイル画像４０１〜４０５が合成された時点のサムネイル一覧画面２０１が、予め記録再生部４内のサムネイル一覧領域４２に格納されている場合で、そのサムネイル一覧画面２０１が読み出されることになる。ステップＳ２７では、例えば、Ａ０〜Ｆ０までのサムネイル画像４０１〜４０６が全て合成される前の時点のサムネイル一覧画面２０１が新規に作成されることになる。
【００８２】
サムネイル合成部５２では、上記したステップＳ２３あるいはＳ２７の何れかのサムネイル一覧画面２０１の時系列の順序で最初の配置位置に、サムネイル生成部５１で新規に生成されたサムネイル画像を配置して、サムネイル一覧画面を合成する（Ｓ２５）。その合成の際、読み込まれたサムネイル一覧画面２０１がステップＳ２７の新規作成されたものである場合は、その一画面内に６番組のサムネイル画像の表示が可能であり、まだ番組のサムネイル画像が何も合成されていないため、今回合成される番組のサムネイル画像は１番目の番組として合成される。サムネイル一覧画面２０１がステップＳ２３のサムネイル一覧領域４２から読み出されたものである場合は、前回合成された番組のサムネイル画像の次の順番の位置に合成される。例えば、前回合成された番組のサムネイル画像が、図５におけるＡ０（４０１）の配置位置である場合、今回の番組のサムネイル画像は次の順番の配置位置であるＢ０（４０２）に配置される。
【００８３】
そして、制御部２１は、合成されたサムネイル一覧画面を再び記録再生部４内のサムネイル一覧領域４２に格納する（Ｓ２６）。上記の一連の動作が、新しい番組が記録再生部４に記録される度に繰り返されることにより、サムネイル一覧画面２０１データは更新される。
【００８４】
このようにして、本実施の形態のテレビジョン信号記録再生装置１０１では、新規に番組のデジタルビデオ信号を記録再生部４に書き込む（記録）時に、サムネイル一覧画面も生成されて、サムネイル一覧領域４２に格納される。
【００８５】
図４は、図１のテレビジョン信号記録再生装置１０１で記録された番組を再生する時の動作を示すフローチャートである。なお、操作入力部として図２のリモコンを用いる場合には、例えば、番組情報一覧を表示させる場合には、番組一覧画面表示キー７５２を使用し、サムネイル一覧／番組情報画面から希望番組を選択する動作には、上下左右方向遷移キー７３２〜７３５と決定キー７３１を使用し、選択した希望番組を記録再生（ＨＤＤ）部４から読み出す際には、再生キー７０３を使用する。
【００８６】
最初のステップＳ１１では、従来と同様に、例えば、図２のリモコン６０１の番組一覧画面表示キー７５２が押されるか否か等により、番組情報一覧表示入力の有無が制御部２１で判断される。
【００８７】
番組情報一覧表示入力が有った場合（Ｓ１１：ＹＥＳ）には、制御部２１は、サムネイル一覧領域４２からサムネイル一覧画面を読み出し、番組情報領域４１から各番組の番組情報を読み出して番組リスト情報とし、テンプレート領域４３からテンプレート画面を読み出し、映像重畳部６でそれらを重畳してサムネイル一覧／番組情報画面を生成する（Ｓ３１）。なお、番組情報領域４１から読み出された番組情報は、従来通り制御部２１でリスト化されて処理される。一方、サムネイル一覧画面２０１は、ビットマップデータであるため、記録／再生インタフェース部３を経由して、復号部５を経由せずに映像重畳部６に出力される。
【００８８】
ここで、テンプレート画面およびサムネイル一覧／番組情報画面について説明する。図６は、サムネイル一覧用のテンプレート画面の一例を示す図であり、図７は、サムネイル一覧／番組情報画面の一例を示す図である。
【００８９】
図６のテンプレート２００の上段では、サムネイル一覧画面２０１と対応するように、左から右に向かって順に、１番目のサムネイル画像配置位置３０１、２番目のサムネイル画像配置位置３０２、３番目のサムネイル画像配置位置３０３が並び、下段では、左から右に向かって順に、４番目のサムネイル画像配置位置３０４、５番目のサムネイル画像配置位置３０５、６番目のサムネイル画像配置位置３０６が並んでいる。
【００９０】
各サムネイル画像配置位置３０１〜３０６の直下は、各サムネイル画像と対応させて表示される番組情報（文字情報）の配置位置となり、上段では、左から右に向かって順に、１ａ番目の番組情報配置位置３１１、２ａ番目の番組情報配置位置３１２、３ａ番目の番組情報配置位置３１３が並び、下段では、左から右に向かって順に、４ａ番目の番組情報配置位置３１４、５ａ番目の番組情報配置位置３１５、６ａ番目の番組情報配置位置３１６が並んでいる。
【００９１】
また、各番目のサムネイル画像配置位置と番組情報配置位置の組み合わせが選択された場合にハイライト表示されてわかるように、その各組み合わせ配置位置の周囲を囲むように、１番目から６番目までのハイライト位置３２１〜３２６が並んでいる。
【００９２】
図７のサムネイル一覧／番組情報画面２０２では、テンプレート２００の各サムネイル画像配置位置３０１〜３０６に、サムネイル一覧画面２０１の各サムネイル画像４０１〜４０６が重畳されており、さらに、テンプレート２００の各番組情報配置位置３１１〜３１６に、各サムネイル画像４０１〜４０６に対応する各番組情報４１１〜４１６が重畳されている。
【００９３】
また、図７では、Ｂ０のサムネイル画像４０２が選択された場合であることから、テンプレート２００のハイライト位置３２１〜３２６のうち、ハイライト位置３２２がハイライト表示５２２になっている。ハイライト表示５２２は、使用者が、例えば、リモコン６０１の上下左右キー７３２〜７３５を用いて番組を任意に選択したことを示すもので、この表示も映像重畳部６で重畳されることで表示が制御される。
【００９４】
ステップＳ３１に示したように、映像重畳部６でサムネイル一覧／番組情報画面２０２が生成されると、制御部２１は、テレビ信号変換部７でそのサムネイル一覧／番組情報画面２０２をＮＴＳＣ等のテレビジョン信号に変換し、外部の表示装置等に表示させるために出力する（Ｓ３３）。表示装置では、例えば、図７に示したように、サムネイル一覧／番組情報画面が表示される。図７では、上記したように、Ｂ０のサムネイル画像４０２が選択され、ハイライト表示５２２になっている。
【００９５】
この状態で、制御部２１は、例えば、図２のリモコン６０１の決定キー７３１が押されるか否か等により、再生する番組が決定したか否かを判断する（Ｓ３４）。再生する番組が決定した場合（Ｓ３４：ＹＥＳ）には、制御部２１は、その番組のデジタルビデオ信号（ＭＰＥＧ２プログラムストリーム）を記録再生部４から読み出し、復号部５で復号し、テレビ信号変換部７でテレビジョン信号に変換して表示装置等に出力する（Ｓ３５）。再生する番組が決定しない場合（Ｓ３４：ＮＯ）には、制御部２１は、そのまま処理を終了する。
【００９６】
なお、本実施の形態１では、サムネイル一覧／番組情報画面用のテンプレート画面２００を記録再生部４内のテンプレート領域４３に格納するように構成したが、例えば、制御部２１内にテンプレート領域４３を設けて格納させることも可能である。
【００９７】
このように、本実施の形態では、記録再生部に新規の番組のデジタルビデオ信号を記録する毎に新規のサムネイル画像を作成してサムネイル一覧画面を更新するので、番組情報一覧画面内に全ての番組のサムネイル画像を表示させることができ、且つ、その表示させるまでの処理時間を短縮させることができる。
【００９８】
実施の形態２．
上記した実施の形態１では、記録再生部４内のサムネイル一覧領域４２に格納されるサムネイル一覧画面２０１が１画面である場合を説明し、図５に示したサムネイル一覧画面２０１には６個のサムネイル画像を合成することができた。しかし、図５のサムネイル一覧画面２０１に６個以上のサムネイル画像を合成する場合も考えられ、実施の形態１では、その場合に、新規のサムネイル画像を合成することができなくなってしまう。
【００９９】
そこで、以下に説明する実施の形態２では、サムネイル一覧画面２０１に６個以上のサムネイル画像を合成する場合について説明する。
【０１００】
図８は、本実施の形態のテレビジョン信号記録再生装置の新規記録時の動作を示すフローチャートである。
【０１０１】
なお、実施の形態２が実施の形態１と主に異なる点は、次の点である。
【０１０２】
（１４）　制御部２１が、サムネイル合成部５１で、生成したサムネイル画像と前回の番組までのサムネイル一覧画面とを再合成する際に、前回の番組までのサムネイル一覧画面に生成したサムネイル画像を合成するための配置の余裕が無い場合、あるいは、前回の番組までのサムネイル一覧画面が存在しない場合を判断し、その場合に新規にサムネイル一覧画面を生成し、サムネイル合成部５２でサムネイル生成部５１で生成されたサムネイル画像と合成する点。
【０１０３】
図８では、テレビジョン信号記録再生装置の構成は、実施の形態１と同様であるが、本実施の形態では制御動作が異なっている。また、実施の形態１と同様に、本実施の形態でもステップＳ８までは、図２０に示した従来のテレビジョン信号記録再生装置１００の新規記録時の動作と同様である。
【０１０４】
図３に示した実施の形態１の新規記録時の動作と、図８に示した本実施の形態の新規記録時の動作では、ステップＳ２３とステップＳ２５との間に、制御部２１が、読み出されたサムネイル一覧画面２０１に新たなサムネイル画像を追加可能であるか否かを判断するステップＳ２４が追加されている点が異なる。
【０１０５】
読み出されたサムネイル一覧画面２０１に新たなサムネイル画像を追加可能である場合（Ｓ２４：ＹＥＳ）には、ステップＳ２５に進んで、新たなサムネイル画像を、読み出したサムネイル一覧画面２０１の空き配置位置に合成する（Ｓ２５）が、追加可能でない場合（Ｓ２４：ＮＯ）には、サムネイル一覧画面を新規作成する場合と同様に、次のサムネイル一覧画面を作成する（Ｓ２７）。その他の動作は、実施の形態１と同様である。
【０１０６】
このように、本実施の形態では、新規のサムネイル画像をサムネイル一覧画面に合成する一連の動作を繰り返すことにより、図５のサムネイル一覧画面２０１に新規のサムネイル画像の追加ができない状態になり、その状態でさらに新しい番組のサムネイル画像をサムネイル一覧画面２０１に追加しなければならない場合でも、サムネイル一覧画面を新規に作成するので、上記の一連の動作を継続して行うことが可能になる。また、サムネイル一覧画面を新規作成は、例えば、テンプレート画面２００を、記録再生部４のテンプレート領域４３から読み出して追加できないサムネイル一覧画面の次ページとして読み込むようにすれば良い。
【０１０７】
図９は、本実施の形態のテレビジョン信号記録再生装置で記録された番組を再生する時の動作を示すフローチャートである。
【０１０８】
図４に示した実施の形態１の再生時の動作と、図９に示した本実施の形態の再生時の動作では、ステップＳ３１とステップＳ３３との間に、制御部２１が、映像重畳部６で全てのサムネイル一覧／番組情報画面２０２の生成を終了したか否かを判断するステップＳ３２が追加され、さらに、ステップＳ３４のＮＯの場合に処理を終了する前に、制御部２１が、テレビ信号変換部７で全てのサムネイル一覧／番組情報画面２０２の表示出力を終了したか否かを判断するステップＳ３６が追加されている点が異なる。
【０１０９】
映像重畳部６で全てのサムネイル一覧／番組情報画面２０２の生成を終了した場合（Ｓ３２：ＹＥＳ）には、制御部２１は、ステップＳ３３へ進んでサムネイル一覧／番組情報画面２０２を表示出力させるが、生成が終了しない場合（Ｓ３２：ＮＯ）には、ステップＳ３１に戻って、次のサムネイル一覧／番組情報画面を生成する。
【０１１０】
また、ステップＳ３６は、ステップＳ３４がＮＯ、すなわち、再生番組が決定しない場合であるので、全てのサムネイル一覧／番組情報画面２０２の表示出力を終了した場合（Ｓ３６：ＹＥＳ）には、制御部２１は、再生処理を終了するが、表示出力が終了していない場合（Ｓ３６：ＮＯ）には、再び、ステップＳ３３に戻って、次のサムネイル一覧／番組情報画面を表示出力させる。
【０１１１】
つまり、新規記録時には、制御部２１は、サムネイル合成部５１で、生成したサムネイル画像と前回の番組までのサムネイル一覧画面とを再合成する際に、前回の番組までのサムネイル一覧画面に生成したサムネイル画像を合成するための配置の余裕が無い場合（Ｓ２４：ＮＯ）、あるいは、前回の番組までのサムネイル一覧画面が存在しない場合（Ｓ２２：ＹＥＳ）には、新規にサムネイル一覧画面を生成し（Ｓ２７）、サムネイル生成部５１で生成されたサムネイル画像と合成する。
【０１１２】
そして、再生時には、映像重畳部６で全てのサムネイル一覧／番組情報画面２０２の生成を終了したか（Ｓ３２）と、テレビ信号変換部７で全てのサムネイル一覧／番組情報画面２０２の表示出力を終了したか（Ｓ３６）を確認することで、複数のサムネイル一覧画面を再生することができる。
【０１１３】
再生時の追加されたサムネイル一覧画面の切替は、例えば、サムネイル一覧／番組情報画面２０２の表示時に、サムネイル画像の追加不可のメッセージが表示された場合、リモコン６０１の右方向遷移キー７３３の押下により、一つ次のページとして追加されたサムネイル一覧／番組情報画面を表示させれば良い。
【０１１４】
また、追加されたサムネイル一覧／番組情報画面を表示させた時には、例えば、リモコン６０１の左方向遷移キー７３５の押下により、元のサムネイル一覧／番組情報画面２０２を一つ前のページとして表示させれば良い。また、サムネイル一覧／番組情報画面が２ページ以上ある場合も同様に、リモコン６０１の左方向遷移キー７３５もしくは右方向遷移キー７３３の押下により、各々のページを切り替えるようにすれば良い。
【０１１５】
このように、本実施の形態では、サムネイル一覧画面が前回までのサムネイル画像で一杯になり新規のサムネイル画像を合成することができなくなった場合でも、新規のサムネイル一覧画面を生成することで、新規のサムネイル画像をサムネイル一覧画面に合成することができ、再生時も各サムネイル一覧画面を自在に切り替えることができるので、複数のサムネイル一覧画面からサムネイル画像を選択することについても問題を無くすことができる。
【０１１６】
実施の形態３．
上記した実施の形態１および２では、新規の番組を記録する度に、サムネイル画像を生成し、サムネイル一覧画面を更新することができ、サムネイル画像が増加した場合には、追加のサムネイル一覧画面を生成して対応することができたが、一旦記録された番組が不要になり、記録からその番組を削除する場合等の記録内容を変更する場合にはサムネイル一覧画面を対応させることができなかった。
【０１１７】
なお、変更する場合には、目的の番組を記録から削除してしまう記録削除処理、目的の番組の再生順序を変更する再生順序変更処理、および、目的の番組が連続番組等である場合により新しい番組に記録内容を入れ替える記録更新処理が考えられる。
【０１１８】
以下に記載する実施の形態３では、記録削除処理について説明するが、上記した全ての変更処理において、サムネイル一覧画面から目的の番組を選択するまでは動作が共通であるので、先にその変更処理における共通動作について説明し、次いで、記録から番組を削除する場合の特有の動作について説明する。
【０１１９】
図１０は、図１のテレビジョン信号記録再生装置１０１で記録された番組を変更する場合の共通動作を示すフローチャートである。
【０１２０】
なお、実施の形態３が実施の形態１および２と主に異なる点は、次の各点である。
【０１２１】
（１５）　制御部２１は、記録再生部４の各番組の記録中から一部の番組の記録が削除される場合、サムネイル合成部５１で、サムネイル一覧領域４２から読み出したサムネイル一覧画面から、削除される番組に対応するサムネイル画像を削除してサムネイル一覧画面を再合成し、再びサムネイル一覧領域４２に格納する点。
【０１２２】
（１６）　制御部２１は、サムネイル合成部５１で、サムネイル一覧領域４２から読み出したサムネイル一覧画面から削除される番組に対応するサムネイル画像を削除する場合で、さらに、削除されるサムネイル画像の次のサムネイル画像が現在のサムネイル一覧画面中に存在する場合には、削除されるサムネイル画像の配置された位置に、次のサムネイル画像を繰り上げたサムネイル一覧画面を再合成する点。
【０１２３】
（１７）　制御部２１は、サムネイル合成部５１で、削除されるサムネイル画像の次のサムネイル画像が現在のサムネイル一覧画面の次のサムネイル一覧画面中に存在する場合には、削除されるサムネイル画像の配置された位置に、次以降のサムネイル一覧画面中からサムネイル画像を順次繰り上げて現在と次以降のサムネイル一覧画面を再合成する点。
【０１２４】
記録再生部４の記録を変更する場合、記録再生部４から変更する番組を選択して決定するまでの動作は、図９に示した実施の形態２の再生時の動作（ステップＳ１１〜ステップＳ３４）と同様である。但し、図９のステップＳ３４に相当する図１０のステップＳ４１では、制御部２１により、再生番組が決定したか否かが判断されるわけではなく、変更する番組が決定したか否かが判断される。変更する番組が決定した場合（Ｓ４１：ＹＥＳ）には、サムネイル一覧／番組情報画面中の決定した番組のサムネイル画像等がハイライト表示された状態で次の処理（Ｓ４２）が実施される。
【０１２５】
また、変更する番組が決定しない場合（Ｓ４１：ＮＯ）に実施されるステップＳ３６についても、実施の形態２の図９の場合と同様であり、全てのサムネイル一覧／番組情報画面２０２の表示出力を終了した場合（Ｓ３６：ＹＥＳ）には、制御部２１は、再生処理を終了するが、表示出力が終了していない場合（Ｓ３６：ＮＯ）には、再び、ステップＳ３３に戻って、次のサムネイル一覧／番組情報画面を表示出力させる。
【０１２６】
変更する場合には、次に操作入力部３１で、例えば、図２のリモコン６０１では番組削除キー７５１、あるいは、図示しない再生順序変更キー、記録更新キー等が押されて入力が指示されたか否かが判断される（Ｓ４２）。入力指示の判断は、上記したように操作入力部３１に個別に設けられたキー入力でも良いし、表示装置の画面に選択肢を全て表示し、上下左右方向遷移キー７３２〜７３５で選択した選択肢をハイライト表示されてと決定キー７３１により選択しても良い。
【０１２７】
記録削除処理の入力が有った場合（Ｓ４２：記録削除）には、制御部２１により記録削除処理が実施され（Ｓ４３）、再生順序変更処理の入力が有った場合（Ｓ４２：順序変更）には、制御部２１により再生順序変更処理が実施され（Ｓ４４）、記録更新処理の入力が有った場合（Ｓ４２：記録更新）には、制御部２１により記録更新処理が実施される（Ｓ４５）。
【０１２８】
図１１は、図１０のステップＳ４３の記録削除処理を示すフローチャートである。
【０１２９】
この場合、まず、操作入力部３１により記録削除を指示する入力が有ったか否かを判断する（Ｓ５１）。なお、この場合は、図１０のステップＳ４１がＹＥＳの場合、すなわち、サムネイル一覧／番組情報画面中の決定した番組のサムネイル画像等がハイライト表示された状態である。
【０１３０】
記録削除入力が有った場合（Ｓ５１：ＹＥＳ）には、制御部２１は、サムネイル一覧／番組情報画面中の決定した番組のサムネイル画像等を削除すると共に、記録再生部４内のその番組の記録内容（ＭＰＥＧ２プログラムストリーム）と番組情報領域中の対応する番組情報を削除する（Ｓ５２）が、記録削除入力が無い場合（Ｓ５１：ＮＯ）には、再び、ステップＳ５１に戻って、指示入力を待つ。
【０１３１】
次に、ステップＳ５２で削除したサムネイル画像に後続するサムネイル画像が有るか否かが判断され（Ｓ５３）、後続するサムネイル画像が無い場合（Ｓ５３：ＮＯ）には、決定した番組のサムネイル画像等が削除された状態で、サムネイル一覧画面が再合成されて記録再生部４内のサムネイル一覧領域４２に書き込まれる（Ｓ５９）。
【０１３２】
後続するサムネイル画像が有る場合（Ｓ５３：ＹＥＳ）には、その後続するサムネイルが全て現在のサムネイル一覧／番組情報画面中であるか、一部でも次のサムネイル一覧／番組情報画面中であるかが判断され（Ｓ５４）、全てが現在のサムネイル一覧／番組情報画面中である場合（Ｓ５４：ＮＯ）、すなわち、次のサムネイル一覧／番組情報画面中に後続するサムネイルが無い場合には、削除されたサムネイル画像の配置されていた位置に後続するサムネイル画像が順に繰り上げ配置され（Ｓ５６）、その後、サムネイル一覧画面が再合成されて記録再生部４内のサムネイル一覧領域４２に書き込まれる（Ｓ５９）。
【０１３３】
図１２は、ステップＳ５４で後続するサムネイル画像が現サムネイル一覧／番組情報画面中である場合（Ｓ５４：ＮＯ）にステップＳ５９で再合成されて表示されたサムネイル一覧／番組情報画面を示す図である。
【０１３４】
図１２のサムネイル一覧／番組情報画面２０３は、図７のサムネイル一覧／番組情報画面２０２で、Ｂ０のサムネイル画像４０２が選択され（ハイライト表示５２２）されて削除された結果の画面を示している。
【０１３５】
図７でＢ０のサムネイル画像４０２が有った配置位置には、Ｃ０のサムネイル画像４０３が繰り上げ配置され、後続のＤ０、Ｅ０、Ｆ０のサムネイル画面４０４〜４０６も順次繰り上げ配置されている。また、各サムネイル画像４０３〜４０６に対応する番組情報４１３〜４１６も、各サムネイル画像４０３〜４０６と共に繰り上げ配置されている。図１２の場合には、次のサムネイル一覧／番組情報画面中に後続するサムネイルが無い場合であるので、テンプレート画面２００における最後（６番目）のサムネイル画像配置位置３０６と、それに対応する６ａ番目の番組情報配置位置３１６には合成されるサムネイル画像と番組情報が無くなり、空白（ブランク）状態のままでサムネイル一覧／番組情報画面２０３が合成される。
【０１３６】
また、後続するサムネイルが次のサムネイル一覧／番組情報画面中である場合（Ｓ５４：ＹＥＳ）には、削除されたサムネイル画像の配置されていた位置に、次（次頁）のサムネイル一覧／番組情報画面中から後続するサムネイル画像が順に繰り上げ配置されると共に、次（次頁）のサムネイル一覧／番組情報画面中でもサムネイル画像が順に繰り上げ配置される（Ｓ５５）。このサムネイル画像を順に繰り上げ配置する処理は、さらに次以降のサムネイル一覧／番組情報画面がある場合には、その画面（頁）についてもサムネイル画像と番組情報の繰り上げ配置を実施する。
【０１３７】
図１３は、ステップＳ５４で後続するサムネイル画像が次サムネイル一覧／番組情報画面中にある場合（Ｓ５４：ＹＥＳ）にステップＳ５５で次のサムネイル一覧／番組情報画面中から後続するサムネイル画像が順に繰り上げ配置され、ステップＳ５９で再合成されて表示されたサムネイル一覧／番組情報画面を示す図である。
【０１３８】
図１３のサムネイル一覧／番組情報画面２０４は、図１２と同様に、図７のサムネイル一覧／番組情報画面２０２で、Ｂ０のサムネイル画像４０２が選択され（ハイライト表示５２２）されて削除された結果の画面を示しており、テンプレート画面２００における最後（６番目）のサムネイル画像配置位置３０６と、それに対応する６ａ番目の番組情報配置位置３１６以外は、図１２と同様である。
【０１３９】
図１３の６番目のサムネイル画像配置位置３０６には、次のサムネイル一覧／番組情報画面中からＧ０のサムネイル画像４０７が繰り上げ配置され、それに対応する番組情報４１７が番組情報配置位置３１６に繰り上げ配置されてから、サムネイル一覧／番組情報画面２０４が合成される。
【０１４０】
その後、次のサムネイル一覧／番組情報画面中にサムネイル画像が無くなったか、あるいは、まだ残っているかが判断され（Ｓ５７）、サムネイル画像が残っている場合（Ｓ５７：ＮＯ）には、サムネイル一覧画面が再合成されて記録再生部４内のサムネイル一覧領域４２に書き込まれる（Ｓ５９）。サムネイル画像が無い場合（Ｓ５７：ＹＥＳ）には、そのサムネイル画像が無いサムネイル一覧画面については削除されてから、現在のサムネイル一覧画面が再合成されて記録再生部４内のサムネイル一覧領域４２に書き込まれる（Ｓ５９）。
【０１４１】
また、上記した本実施の形態では、番組の削除処理を実施する際に、記録再生部４から更新されるサムネイル一覧画面２０４を読み出して番組の削除処理を実施後に再合成を行ったが、例えば、番組の削除後に残った各番組のＭＰＥＧ２プログラムストリームを読み込んでその最初の画像からサムネイル画像を生成し、サムネイル一覧画面のテンプレート画面２００にその生成したサムネイル画像を配置して、サムネイル一覧画面を再合成するようにしても良い。
【０１４２】
このように、本実施の形態では、一旦記録された番組が不要になり、記録からその番組を削除する場合等の記録内容を変更する場合には、一旦作成して記録されたサムネイル一覧画面を対応して変更でき、サムネイル一覧画面が複数頁にわたる場合でも頁をまたいで繰り上げ配置できるようにし、空白（ブランク）のサムネイル一覧画面については削除するようにしたので、一部の記録について削除処理を実施した後も番組情報一覧画面内に効率よく番組のサムネイル画像を表示させることができる。
【０１４３】
実施の形態４．
上記した実施の形態３では、全ての変更処理における共通処理および共通動作について説明し、さらに、記録削除処理に特有の動作について説明したが、以下に説明する本実施の形態では、一旦記録された番組の再生順序変更場合について説明する。
【０１４４】
図１４は、図１０のステップＳ４４の再生順序変更処理を示すフローチャートである。
【０１４５】
なお、実施の形態４が実施の形態３と主に異なる点は、次の点である。
（１８）　制御部２１は、記録再生部４の各番組の記録において、一部の番組の再生順序が変更される場合、サムネイル合成部５１で、サムネイル一覧領域４２から読み出したサムネイル一覧画面から、再生順序が変更される番組に対応するサムネイル画像の配置を変更してサムネイル一覧画面を再合成し、再びサムネイル一覧領域４２に格納する点。
【０１４６】
この場合、まず、操作入力部３１により再生順序変更を指示する入力が有ったか否かを判断する（Ｓ６１）。なお、この場合も、図１０のステップＳ４１がＹＥＳの場合、すなわち、サムネイル一覧／番組情報画面中の決定した番組のサムネイル画像等がハイライト表示された状態である。
【０１４７】
再生順序変更入力が有った場合（Ｓ６１：ＹＥＳ）には、制御部２１は、サムネイル一覧／番組情報画面中の決定した番組のサムネイル画像等の配置を次に指示された配置位置に変更する（Ｓ６２）と共に、記録再生部４内のその番組の記録内容（ＭＰＥＧ２プログラムストリーム）の再生順序と番組情報領域中の対応する番組情報の配置位置も変更する（Ｓ６３）が、再生順序変更入力が無い場合（Ｓ６１：ＮＯ）には、再び、ステップＳ６１に戻って、指示入力を待つ。なお、記録再生部４内のその番組の記録内容の再生順序の変更処理は、実際には、記録内容を全て再生順序で再記録するわけではなく、管理情報中の再生順番情報のみを変更する。
【０１４８】
このサムネイル画像の配置位置を変更する処理は、次以降のサムネイル一覧／番組情報画面がある場合には、その画面（頁）についてもサムネイル画像と番組情報の配置位置変更を実施する。サムネイル画像の配置変更処理は、例えば、ハイライトされたサムネイル画像をマウス等で希望配置位置までドラッグしてからドロップし、その配置位置以降のサムネイル画像を順次繰り下げ配置するようにしても良いし、ハイライトされたサムネイル画像と希望配置位置のサムネイル画像を一旦別の記録領域（メモリ等）に格納して順次入れ替えるようにしても良い。
【０１４９】
図１５は、ステップＳ６３で変更されたサムネイル配置順序と番組情報領域中の対応する番組情報の配置位置が変更された場合のサムネイル一覧／番組情報画面を示す図である。
【０１５０】
図１５のサムネイル一覧／番組情報画面２０５は、図７のサムネイル一覧／番組情報画面２０２で、１番目のＡ０のサムネイル画像４０１と４番目のＤ０のサムネイル画像４０４が入れ替えられ、３番目のＣ０のサムネイル画像４０３と６番目のＦ０のサムネイル画像４０６が入れ替えられ、さらに、その６番目のＦ０のサムネイル画像４０６と５番目のＥ０のサムネイル画像４０５が入れ替えられた場合を示している。従って、図１５の場合の再生順序は、図７の「Ａ０→Ｂ０→Ｃ０→Ｄ０→Ｅ０→Ｆ０」の順番から返納されて、「Ｄ０→Ｂ０→Ｅ０→Ａ０→Ｆ０→Ｃ０」の順番になり、各サムネイル画像もその再生順序に従って配置される。
【０１５１】
そして、Ｓ６３で配置位置が変更されたサムネイル一覧／番組情報画面に従って、サムネイル一覧画面が再合成されて記録再生部４内のサムネイル一覧領域４２に書き込まれる（Ｓ６４）。
【０１５２】
また、上記した本実施の形態では、番組の再生順序変更処理を実施する際に、記録再生部４から更新されるサムネイル一覧画面２０５を読み出して番組の削除処理を実施後に再合成を行ったが、例えば、番組の再生順序変更後に各番組のＭＰＥＧ２プログラムストリームを読み込んでその最初の画像からサムネイル画像を生成し、サムネイル一覧画面のテンプレート画面２００にその生成したサムネイル画像を配置して、サムネイル一覧画面を再合成するようにしても良い。
【０１５３】
このように、本実施の形態では、一旦記録された番組の再生順序が変更になった場合には、一旦作成して記録されたサムネイル一覧画面を対応して変更でき、サムネイル一覧画面が複数頁にわたる場合でも頁をまたいで変更配置できるようにしたので、各番組の記録について再生順序変更処理を実施した後も番組情報一覧画面内に変更後の順番で各番組のサムネイル画像を表示させることができる。
【０１５４】
実施の形態５．
上記した実施の形態３では、全ての変更処理における共通処理／共通動作および記録削除処理について説明し、実施の形態４では、一旦記録された番組の再生順序変更の場合について説明したが、以下に説明する本実施の形態では、一旦記録された番組の記録を最新の記録に更新する場合について説明する。
【０１５５】
図１６は、図１０のステップＳ４５の記録更新処理を示すフローチャートである。
【０１５６】
なお、実施の形態５が実施の形態３および４と主に異なる点は、次の点である。
（１９）　制御部２１は、記録再生部４の各番組の記録において、一部の番組の記録が新規の記録に更新される場合、サムネイル生成部５１で、記録が新規になる番組の任意時点の少なくとも１フレームの画面からサムネイル画像を生成し、サムネイル合成部５２で、サムネイル一覧領域４２から読み出したサムネイル一覧画面から、記録が更新される番組に対応するサムネイル画像の配置に、サムネイル生成部５１で新規に生成したサムネイル画像を入れ替えてサムネイル一覧画面を再合成し、再びサムネイル一覧領域４２に格納する点。なお、上記した任意時点の１フレームの画面としては、各番組の最初の画面を用いる場合が多い。
【０１５７】
この場合、まず、操作入力部３１により記録更新を指示する入力が有ったか否かを判断する（Ｓ７１）。なお、この場合も、図１０のステップＳ４１がＹＥＳの場合、すなわち、サムネイル一覧／番組情報画面中の決定した番組のサムネイル画像等がハイライト表示された状態である。
【０１５８】
記録更新入力が有った場合（Ｓ７１：ＹＥＳ）には、制御部２１は、サムネイル一覧／番組情報画面中の決定した番組のサムネイル画像と番組情報を削除すると共に、記録再生部４内のその番組の記録内容（ＭＰＥＧ２プログラムストリーム）も削除する（Ｓ７２）が、記録更新入力が無い場合（Ｓ７１：ＮＯ）には、再び、ステップＳ７１に戻って、指示入力を待つ。
【０１５９】
次に、制御部２１は、更新する記録内容から最初の画像データ（ＭＰＥＧ２プログラムストリーム）を読み出し、その読み出した画像データを復号部５で復号してから、サムネイル生成部５１で復号した画像データを縮小して更新したサムネイル画像を生成する（Ｓ７３）。そして、その更新したサムネイル画像を、ステップＳ７２で削除したサムネイル画像の位置に配置し、サムネイル一覧画面をサムネイル合成部５２で再合成する（Ｓ７４）。なお、本実施の形態で、更新したサムネイル画像を生成する処理は、実施の形態１あるいは実施の形態２に示した処理と同様であり、更新する番組の記録内容（ＭＰＥＧ２プログラムストリーム）が記録再生部４に記録されると、サムネイル生成部５１で更新するサムネイル画面も生成される。
【０１６０】
図１７は、ステップＳ７４でサムネイル一覧画面が更新された場合のサムネイル一覧／番組情報画面を示す図である。
【０１６１】
図１７のサムネイル一覧／番組情報画面２０６は、図７のサムネイル一覧／番組情報画面２０２で、４番目のＤ０のサムネイル画像４０４が更新された４番目のＤ１のサムネイル画像４２４に入れ替えられ、番組情報もサムネイル画像に従って、番組情報４１４が更新された番組情報４３４に入れ替えられる。
【０１６２】
そして、Ｓ７４で更新されたサムネイル一覧／番組情報画面に従って、サムネイル一覧画面が再合成されて記録再生部４内のサムネイル一覧領域４２に書き込まれる（Ｓ７５）。
【０１６３】
また、上記した本実施の形態では、番組の更新処理を実施する際に、記録再生部４から更新されるサムネイル一覧画面２０５を読み出して番組の更新処理を実施後に再合成を行ったが、例えば、番組の更新後に各番組のＭＰＥＧ２プログラムストリームを読み込んでその最初の画像からサムネイル画像を生成し、サムネイル一覧画面のテンプレート画面２００にその生成したサムネイル画像を配置して、サムネイル一覧画面を再合成するようにしても良い。
【０１６４】
このように、本実施の形態では、一旦記録された番組を最新の内容に更新する場合には、一旦作成して記録されたサムネイル一覧画面を対応して更新でき、サムネイル一覧画面が複数頁にわたる場合でも頁をまたいで更新できるようにしたので、各番組の記録について更新処理を実施した後も番組情報一覧画面内には更新した最新の内容で各番組のサムネイル画像を表示させることができる。
【０１６５】
実施の形態６．
上記した各実施の形態では、使用者により記録された番組について一覧表示する指示が入力された場合に、各番組のサムネイル画像を再生順に表示させることで、使用者が再生番組を選択する際の便宜をはかっていたが、各サムネイル画像は静止画であるので、連続番組等では最初の画面をサムネイル画像しても類似画像となる場合が多く、番組情報による日時等の違いだけでは区別がつかなくなる場合がある。
【０１６６】
そこで、以下に説明する本実施の形態では、サムネイル一覧／番組情報画面中から選択されたサムネイル画像については、静止画表示を動画表示にして使用者が再生番組をより選択し易くする場合について説明する。
【０１６７】
図１８は、本発明の実施の形態６のテレビジョン信号記録再生装置の回路構成を示すブロック図である。
【０１６８】
なお、実施の形態６が実施の形態１〜５と主に異なる点は、次の各点である。
（２０）　記録再生部４から読み出される任意の一番組のデジタルビデオ信号を、画面の縦横寸法が各サムネイル画像の寸法と同様になるように縮尺した信号として出力するビデオ・リサイザ部５３を備える点。
【０１６９】
（２１）　制御部２１は、サムネイル一覧画面から１個のサムネイル画像が選択された場合、記録再生部４からサムネイル画像に対応する番組のデジタルビデオ信号を読み出し、ビデオ・リサイザ部５３で、読み出された番組のデジタルビデオ信号の画面寸法を縮尺した信号とし、映像重畳部６で、サムネイル一覧画面中の選択されたサムネイル画像にビデオ・リサイザ部５３で縮尺されたデジタルビデオ信号の画面を重畳する点。
【０１７０】
また、図１８では、ビデオ・リサイザ部５３をサムネイル部５１と別に記載したが、サムネイル生成部５１で、生成されるサムネイル画像を画面が連続するように生成させることビデオ・リサイザ部５３とすることができる。すなわち、ビデオ・リサイザ部５３は、サムネイル生成部５１にサムネイル画像を画面が連続するように生成させることで代替えすることができる。
【０１７１】
ビデオ・リサイザ部５３は復号部５から出力された番組の記録内容（ＭＰＥＧ２プログラムストリーム）を、上記した各実施の形態におけるサムネイル生成部５１のように１フレーム分のみではなく、連続するフレームの全てについて画像寸法を縮尺（リサイズ）して映像重畳部６に動画で出力する。
【０１７２】
映像重畳部６では、サムネイル一覧／番組情報画面で選択されたサムネイル画像の位置に、入力した動画を重畳してテレビ信号変換部７に出力する。
【０１７３】
なお、本実施の形態では、サムネイル一覧／番組情報画面中で選択されたサムネイル画像の位置に、入力した動画を重畳するが、例えば、表示される画面中で、選択されたサムネイル画像とは別の領域に動画再生の専用領域を設け、その専用領域に入力した動画を再生するようにしても良い。その場合には、選択されたサムネイル画像の寸法とは異なる寸法に専用領域を設定することができ、動画の寸法も専用領域に合わせてリサイズしても良い。
【０１７４】
このように、本実施の形態では、サムネイル一覧／番組情報画面中から選択されたサムネイル画像については、静止画表示を動画表示にして表示させることができるので、使用者が再生番組をより正確かつ容易に選択することができる。
【０１７５】
なお、上記した各実施の形態では、一覧画面中に６個のサムネイル画像を配置する場合について説明したが、本発明はこれに限られるものではなく、２個以上のサムネイル画像を配置する全ての場合に適用可能である。また、３個以上のサムネイル画像を一覧画面中に配置する場合には、例えば、表示装置の解像度に応じて視認できる程度内でサムネイル画像の数を設定すれば良い。
【０１７６】
また、上記した各実施の形態の動作フローチャートでは、サムネイル一覧／番組情報画面の再生時に、全ての画面を生成して（例えば図９：Ｓ３２）から、テレビ信号変換し表示出力する（例えば図９：Ｓ３３）という順番になっているが、例えば、ステップＳ３２で生成された画面は次の画面の生成を待たずに、テレビ信号変換して表示出力するように構成しても良い。
【０１７７】
【発明の効果】
この発明は、以上説明したように構成されているので、以下に示すような効果を奏する。
【０１７８】
請求項１〜３、１０、１１、１４〜１６、および、２１のテレビジョン信号記録再生装置によれば、記録再生部に新規の番組のデジタルビデオ信号を記録する毎に新規のサムネイル画像を作成してサムネイル一覧画面を更新するので、番組情報一覧画面内に全ての番組のサムネイル画像を表示させることができ、且つ、その表示させるまでの処理時間を短縮させることができる。
【０１７９】
請求項４および１７のテレビジョン信号記録再生装置によれば、サムネイル一覧画面が前回までのサムネイル画像で一杯になり新規のサムネイル画像を合成することができなくなった場合でも、新規のサムネイル一覧画面を生成することで、新規のサムネイル画像をサムネイル一覧画面に合成することができ、再生時も各サムネイル一覧画面を自在に切り替えることができるので、複数のサムネイル一覧画面からサムネイル画像を選択することについても問題を無くすことができる。
【０１８０】
請求項５〜７および１８のテレビジョン信号記録再生装置によれば、一旦記録された番組が不要になり、記録からその番組を削除する場合等の記録内容を変更する場合には、一旦作成して記録されたサムネイル一覧画面を対応して変更でき、サムネイル一覧画面が複数頁にわたる場合でも頁をまたいで繰り上げ配置できるようにし、空白（ブランク）のサムネイル一覧画面については削除するようにしたので、一部の記録について削除処理を実施した後も番組情報一覧画面内に効率よく番組のサムネイル画像を表示させることができる。
【０１８１】
請求項８および１９のテレビジョン信号記録再生装置によれば、編集等により使用者が意図的に一旦記録された番組の再生順序を変更する場合には、一旦作成して記録されたサムネイル一覧画面を対応して変更でき、サムネイル一覧画面が複数頁にわたる場合でも頁をまたいで変更配置できるようにしたので、各番組の記録について再生順序変更処理を実施した後も番組情報一覧画面内に変更後の順番で各番組のサムネイル画像を表示させることができる。
【０１８２】
請求項９および２０のテレビジョン信号記録再生装置によれば、一旦記録された番組を最新の内容に更新する場合には、一旦作成して記録されたサムネイル一覧画面を対応して更新でき、サムネイル一覧画面が複数頁にわたる場合でも頁をまたいで更新できるようにしたので、各番組の記録について更新処理を実施した後も番組情報一覧画面内には更新した最新の内容で各番組のサムネイル画像を表示させることができる。
【０１８３】
請求項１２、１３および２２のテレビジョン信号記録再生装置によれば、サムネイル一覧／番組情報画面中から選択されたサムネイル画像については、静止画表示を動画表示にして表示させることができるので、使用者が再生番組をより正確かつ容易に選択することができる。
【図面の簡単な説明】
【図１】本発明の実施の形態１のテレビジョン信号記録再生装置の回路構成を示すブロック図である。
【図２】図１の操作入力部の一例としてのテレビジョン信号記録再生装置のリモコンのキー配置を示す図である。
【図３】図１のテレビジョン信号記録再生装置の新規記録時の動作を示すフローチャートである。
【図４】図１のテレビジョン信号記録再生装置で記録された番組を再生する時の動作を示すフローチャートである。
【図５】サムネイル一覧画面の一例を示す図である。
【図６】サムネイル一覧用のテンプレート画面の一例を示す図である。
【図７】サムネイル一覧／番組情報画面の一例を示す図である。
【図８】本実施の形態のテレビジョン信号記録再生装置の新規記録時の動作を示すフローチャートである。
【図９】本実施の形態のテレビジョン信号記録再生装置で記録された番組を再生する時の動作を示すフローチャートである。
【図１０】図１のテレビジョン信号記録再生装置で記録された番組を変更する場合の共通動作を示すフローチャートである。
【図１１】図１０の記録削除処理を示すフローチャートである。
【図１２】後続するサムネイル画像が現サムネイル一覧／番組情報画面中である場合に再合成されて表示されたサムネイル一覧／番組情報画面を示す図である。
【図１３】後続するサムネイル画像が次サムネイル一覧／番組情報画面中にある場合に次のサムネイル一覧／番組情報画面中から後続するサムネイル画像が順に繰り上げ配置され、再合成されて表示されたサムネイル一覧／番組情報画面を示す図である。
【図１４】図１０の再生順序変更処理を示すフローチャートである。
【図１５】変更されたサムネイル配置順序と番組情報領域中の対応する番組情報の配置位置が変更された場合のサムネイル一覧／番組情報画面を示す図である。
【図１６】図１０の記録更新処理を示すフローチャートである。
【図１７】サムネイル一覧画面が更新された場合のサムネイル一覧／番組情報画面を示す図である。
【図１８】本発明の実施の形態６のテレビジョン信号記録再生装置の回路構成を示すブロック図である。
【図１９】従来のテレビジョン信号記録再生装置の回路構成を示すブロック図である。
【図２０】従来のテレビジョン信号記録再生装置で入力したテレビジョン信号を新規に記録する際の動作を示すフローチャートである。
【図２１】従来のテレビジョン信号記録再生装置で記録したテレビジョン信号を再生する際の動作を示すフローチャートである。
【図２２】番組を再生する際の選択に用いる番組情報一覧画面の一例を示す図である。
【符号の説明】
１　テレビ信号処理部、　２　符号化部、　３　記録／再生インタフェース部、　４　記録再生（ＨＤＤ）部、　５　復号部、　６　映像重畳部、　７　テレビ信号変換部、　２０、２１　制御部、　３１　操作入力部、　４１　番組情報領域、　４２　サムネイル一覧領域、　４３　テンプレート領域、　５１　サムネイル生成部、　サムネイル合成部。
【図１】
2004080587.tif 000003
【図２】
2004080587.tif 000004
【図３】
2004080587.tif 000005
【図４】
2004080587.tif 000006
【図５】
2004080587.tif 000007
【図６】
2004080587.tif 000008
【図７】
2004080587.tif 000009
【図８】
2004080587.tif 000010
【図９】
2004080587.tif 000011
【図１０】
2004080587.tif 000012
【図１１】
2004080587.tif 000013
【図１２】
2004080587.tif 000014
【図１３】
2004080587.tif 000015
【図１４】
2004080587.tif 000016
【図１５】
2004080587.tif 000017
【図１６】
2004080587.tif 000018
【図１７】
2004080587.tif 000019
【図１８】
2004080587.tif 000020
【図１９】
2004080587.tif 000021
【図２０】
2004080587.tif 000022
【図２１】
2004080587.tif 000023
【図２２】
2004080587.tif 000024